(57)【要約】【課題】    「捨て水」の放流経路を確保しつつ、最適な位置に取り付け可能とし、汚れが付着しにくく、掃除を行いやすく、見栄えもすっきりとした衛生洗浄装置及びこれを備えたトイレ装置を提供する。【解決手段】    腰掛便器の上部に設けられ水路系と洗浄ノズルとを内蔵した衛生洗浄便座装置であって、略鉛直下方に延在し、前記水路系から排出される捨て水を前記腰掛便器のボウルに放出する排水路を備え、前記排水路を前記腰掛便器のボウルの後端に突き当てることにより前記衛生洗浄便座装置の位置決めを可能としたことを特徴とする衛生洗浄便座装置を提供する。【選択図】    図１
2006283400.tif 000002
【特許請求の範囲】
【請求項１】
腰掛便器の上部に設けられ水路系と洗浄ノズルとを内蔵した衛生洗浄便座装置であって、
略鉛直下方に延在し、前記水路系から排出される捨て水を前記腰掛便器のボウルに放出する排水路を備え、
前記排水路を前記腰掛便器のボウルの後端に突き当てることにより前記衛生洗浄便座装置の位置決めを可能としたことを特徴とする衛生洗浄便座装置。
【請求項２】
前記衛生洗浄便座装置は、前記腰掛便器の上部に設けられ前記水路系と前記洗浄ノズルとを内蔵した本体と、前記本体に付設された便座と、を有し、
前記排水路は、前記本体の前面と略同一面上に設けられたことを特徴とする請求項１記載の衛生洗浄便座装置。
【請求項３】
前記前面は、前記ボウルの開口に沿った湾曲面を有することを特徴とする請求項２記載の衛生洗浄便座装置。
【請求項４】
前記排水路は、前記本体の筺体と一体的に成形されてなることを特徴とする請求項２記載の衛生洗浄便座装置。
【請求項５】
前記本体は、ベースプレートを介して前記腰掛便器に固定され、
前記ベースプレートに対する前記本体の取り付け位置が、前後に調節可能とされたことを特徴とする請求項４記載の衛生洗浄便座装置。
【請求項６】
前記本体は、ベースプレートを介して前記腰掛便器に固定され、
前記排水路は、前記ベースプレートと一体的に成形されてなることを特徴とする請求項２記載の衛生洗浄便座装置。
【請求項７】
前記腰掛便器に対する前記ベースプレートの取り付け位置は、前後に調節可能とされたことを特徴とする請求項６記載の衛生洗浄便座装置。
【請求項８】
前記ベースプレートは、前記腰掛便器に固定される固定部と、前記固定部に対して可動する可動部と、を有し、
前記排水路は、前記可動部と一体的に成形されてなることを特徴とする請求項６記載の衛生洗浄便座装置。
【請求項９】
前記排水路は、前記ボウルに向かって開放した溝に沿って前記捨て水を放出することを特徴とする請求項１〜８のいずれか１に記載の衛生洗浄便座装置。
【請求項１０】
前記排水路は、鉛直下方に連通した管路を介して前記捨て水を放出することを特徴とする請求項１〜８のいずれか１つに記載の衛生洗浄便座装置。
【請求項１１】
腰掛便器と、
請求項１〜１０のいずれか１つに記載の衛生洗浄便座装置と、
を備えたことを特徴とするトイレ装置。
【発明の詳細な説明】
【技術分野】
【０００１】
本発明は、衛生洗浄便座装置及びトイレ装置に関し、より具体的には、洋式腰掛便器に腰かけた使用者の「おしり」などを水で洗浄する衛生洗浄便座装置及びこれを備えたトイレ装置に関する。
【背景技術】
【０００２】
衛生洗浄便座装置は、その内部に洗浄水を噴射する洗浄ノズルを進退自在に収容するため、腰掛便器の上面後部に設置して使用する形態のものが主流となっている。そして、洗浄ノズルを進退させたり、腰掛便器ボウル内の臭気の吸い込み口を設けるために、衛生洗浄便座装置を構成する本体ケースの前面が腰掛便器のボウル側に延出し、ボウル開口の一部を塞ぐ形態とされている。
【０００３】
しかし、このように本体ケースがボウル側に延出すると、その裏側などが汚れやすくなる。これに対して、清掃性をよくするために、例えば、本体ケースの延出部分を着脱自在とした構造が開示されている（例えば、特許文献１及び２）。しかし、掃除の際にいちいち延出部分を取り外すのは煩雑であり、また着脱の際などに延出部分を誤ってボウルの溜水内に落としてしまうなどの問題もある。
【特許文献１】特公平５−７４６５６号公報
【特許文献２】特開平６−１６７０４１号公報
【発明の開示】
【発明が解決しようとする課題】
【０００４】
このような問題を解消するためには、衛生洗浄便座装置の本体ケースが腰掛便器のボウルを覆わないように、後方に後退させて設置するとよい。しかし、衛生洗浄便座装置においては、洗浄ノズルからの吐水の他にも、装置の内部でいくつかの排水が生ずる可能性がある。衛生洗浄便座装置の内部で発生するこれらの「捨て水」は、衛生洗浄便座装置を通常の腰掛便器に設置する場合、便器のボウル内に放流する必要がある。
【０００５】
また一方、衛生洗浄便座装置の本体ケースが腰掛便器のボウルを覆わないように、後方に後退させて設置する場合、その取り付け位置を確実かつ容易に決めることができると便利である。
【０００６】
本発明は、かかる課題の認識に基づいてなされたものであり、「捨て水」の放流経路を確保しつつ、最適な位置に取り付け可能とし、汚れが付着しにくく、掃除を行いやすく、見栄えもすっきりとした衛生洗浄装置及びこれを備えたトイレ装置を提供するものである。
【課題を解決するための手段】
【０００７】
本発明の一態様によれば、
腰掛便器の上部に設けられ水路系と洗浄ノズルとを内蔵した衛生洗浄便座装置であって、
略鉛直下方に延在し、前記水路系から排出される捨て水を前記腰掛便器のボウルに放出する排水路を備え、
前記排水路を前記腰掛便器のボウルの後端に突き当てることにより前記衛生洗浄便座装置の位置決めを可能としたことを特徴とする衛生洗浄便座装置が提供される。
【０００８】
上記構成によれば、「捨て水」の放流経路を確保しつつ、最適な位置に取り付け可能とし、汚れが付着しにくく、掃除を行いやすく、見栄えもすっきりとした衛生洗浄装置を提供することができる。
【０００９】
ここで、前記衛生洗浄便座装置は、前記腰掛便器の上部に設けられ前記水路系と前記洗浄ノズルとを内蔵した本体と、前記本体に付設された便座と、を有し、前記排水路は、前記本体の前面と略同一面上に設けられたものとすれば、本体はボウルを覆うことがなく、特に汚れが付着しにくく、掃除を行いやすく、見栄えもすっきりとさせることができる。
【００１０】
また、前記前面は、前記ボウルの開口に沿った湾曲面を有するものとすれば、さらに汚れが付着しにくく、掃除を行いやすく、見栄えもすっきりとさせることができる。  
また、前記排水路は、前記本体の筺体と一体的に成形されてなるものとすれば、見栄えがすっきりとし、「捨て水」を漏らすことなくボウルに排水できる。  
この時、前記本体は、ベースプレートを介して前記腰掛便器に固定され、前記ベースプレートに対する前記本体の取り付け位置が、前後に調節可能とされたものとすれば、取り付けを確実かつ容易に行うことができる。
【００１１】
また一方、前記本体は、ベースプレートを介して前記腰掛便器に固定され、前記排水路は、前記ベースプレートと一体的に成形されてなるものとすることもできる。  
この場合、前記腰掛便器に対する前記ベースプレートの取り付け位置は、前後に調節可能とすることにより取り付けを容易にできる。
【００１２】
または、前記ベースプレートは、前記腰掛便器に固定される固定部と、前記固定部に対して可動する可動部と、を有し、前記排水路は、前記可動部と一体的に成形されてなるものとしてもよい。
【００１３】
また、前記排水路は、前記ボウルに向かって開放した溝に沿って前記捨て水を放出するものとすることができ、簡単な構造で、「詰まり」などもなく、掃除も容易な排水路を実現できる。    
または、前記排水路は、鉛直下方に連通した管路を介して前記捨て水を放出するものとすることもでき、見栄えがすっきりとして清潔感も維持できる。
【００１４】
また、本発明の他の一態様によれば、
腰掛便器と、上記のいずれかの衛生洗浄便座装置と、を備えたことを特徴とするトイレ装置が提供される。  
上記構成によれば、「捨て水」の放流経路を確保しつつ、最適な位置に取り付け可能とし、汚れが付着しにくく、掃除を行いやすく、見栄えもすっきりとしたトイレ装置を提供することができる。
【発明の効果】
【００１５】
本発明によれば、「捨て水」の放流経路を確保しつつ、最適な位置に取り付け可能とし、汚れが付着しにくく、掃除を行いやすく、見栄えもすっきりとした衛生洗浄装置及びこれを備えたトイレ装置を提供することができ、産業上のメリットは多大である。
【発明を実施するための最良の形態】
【００１６】
以下、図面を参照しつつ本発明の実施の形態について説明する。  
図１は、本発明の実施の形態の第１の実施の形態にかかる衛生洗浄便座装置本体の模式斜視図である。  
また、図２は、本実施形態の衛生洗浄便座装置から便座を取り外した状態での模式組立図である。
【００１７】
すなわち、本具体例の衛生洗浄便座装置本体５００は、腰掛便器３００の上部後方の平坦面３００Ｆに設置され、便座４１０が付設されている。また、便座４１０の上に、開閉自在の便蓋をさらに設けてもよい。
【００１８】
本具体例の衛生洗浄便座装置本体５００は、使用者が便座４１０に座った状態で水を噴射させて「おしり」などを洗浄することができる装置であり、商標名「ウォシュレット」などとして普及しているものと同様の機能を有する。なお、本願明細書において「水」とは冷水のみならず、温水も含むものとする。衛生洗浄便座装置本体５００には、その他にも例えば、濡れた「おしり」を乾かす「温風乾燥機能」や、便座４１０を暖める「便座暖房機能」、腰掛便器内の臭いを除去する「脱臭機能」などを設けることができる。また、使用者の接近を検知して便蓋４００を自動的に開き、使用者がいなくなると便蓋４００を自動的に閉じる「オート開閉機能」を設けることもできる。これらの機能は、衛生洗浄便座装置本体５００に設けられた操作部（図示せず）を適宜操作することにより実行・設定でき、また、トイレの壁面などに設置されたリモコン（図示せず）を操作することにより実行させることも可能である。
【００１９】
またさらに、リモコン操作などにより腰掛便器３００に洗浄水を流す「自動水洗機能」を、衛生洗浄便座装置本体５００に付加してもよい。これは、ロータンク２００やフラッシュバルブの排水機構を動作させる駆動機構を設け、リモコン操作や人体センサなどと連動して、この駆動機構を動作させる信号を衛生洗浄便座装置本体５００から出力させて、腰掛便器３００に自動的に洗浄水を流す機能である。
【００２０】
本実施形態においては、衛生洗浄便座装置本体５００は水洗腰掛便器３００の上部後方の平坦面に設置され、その前面５１０が腰掛便器３００のボウル３１０の後方の端にほぼ沿って設けられている。なおここで、「後方」とは、図１に表したように、通常ロータンク２００やフラッシュバルブなどが設置される側であり、通常の使用態様において使用者からみて遠い側を意味する。  
そして、本実施形態においては、この前面５１０からボウル３１０の後方の端に沿って、排水路５９０が下方に延在して設けられている。この排水路５９０は、衛生洗浄便座装置本体５００の内部で発生する「捨て水」をボウル３１０の中に放流する役割を有する。
【００２１】
さらにまた、衛生洗浄便座装置本体５００を腰掛便器３００に設置する際に、この排水路５９０をボウル３１０の後方の端に突き当てることにより、確実かつ容易に理想的な位置に取り付けることができる。
【００２２】
図３は、比較例の衛生洗浄便座装置を表す模式図である。  
すなわち、本比較例においては、衛生洗浄便座装置本体５００は、腰掛便器３００のボウル３１０の上に延出し、破線Ａにて表したように、ボウル３１０の一部を覆うように設けられている。このように衛生洗浄便座装置本体５００がボウル３１０に延出していると、その裏側が溜水からの「跳ね」などにより汚れやすく、また、この延出した部分には、男性の小用の際などに小水がかかりやすくなる。
【００２３】
これに対して、図１及び図２に表した具体例においては、衛生洗浄便座装置本体５００はボウル３１０の上に延出せず、前面５１０がボウル３１０の開口部の後方の端に沿って設けられている。その結果、汚れにくく、また、男性の小用の際などにも小水がかかりにくくなる。また、掃除の際にいちいち衛生洗浄便座装置本体５００を腰掛便器３００から取り外す手間が省け、掃除が極めて容易となる。またさらに、見た目にもすっきりとして、見栄えがよく、使用者に対して清潔感や衛生感を与え、快適な使い心地のトイレ装置を提供できる。
【００２４】
図４は、本実施形態において設けられた排水路５９０を説明するための模式図であり、（ａ）は衛生洗浄便座装置本体５００の中央付近の一部拡大正面図、（ｂ）及び（ｃ）はそのＡ−Ａ断面図である。  
本具体例の衛生洗浄便座装置本体５００は、その前面５１０に開口部５２０が設けられ、塞ぎ板５２５により開閉自在とされている。この塞ぎ板５２５の裏側には洗浄ノズルが収容され、洗浄時には、塞ぎ板５２５が開いて洗浄ノズルがボウル３１０に進出する。
【００２５】
そして、本具体例においては、開口部５２０の下方に排水路５９０が設けられている。本具体例の排水路５９０は、ボウル３１０に向けて開放した幅広の浅い溝５９０Ｇを有する。衛生洗浄便座装置本体５００の中で発生した「捨て水」は、この溝５９０Ｇを伝わり、ボウル３１０に排水される。また、排水路５９０は、図４（ｂ）に表したように、前面５１０よりも前方に突出しないように設けてもよく、または図４（ｃ）に表したように、前面５１０よりも前方に突出するように設けてもよい。図４（ｃ）のように前方に突出させて設けた場合には、衛生洗浄便座装置本体５００のボウル３１０への延出量を減らすことができる。
【００２６】
またさらに、本発明においては、排水路５９０をボウル３１０の側壁面に沿わせて湾曲させてもよい。  
図５（ａ）乃至（ｄ）は、このように排水路５９０を湾曲させた具体例を表し、いずれも、図４（ａ）のＡ−Ａ線断面図に相当する断面図である。  
すなわち、図５（ａ）に表した具体例の場合、衛生洗浄便座装置本体５００の前面５１０は略平面状とされているが、排水路５９０はボウル３１０の側壁面に沿うように湾曲して形成されている。このようにすると、ボウル３１０の側壁面との間に隙間をつくらずにぴったりと排水路５９０を沿わせることができ、見た目にすっきりするとともに、衛生洗浄便座装置本体５００のボウル３１０への延出量も減らすことができる。
【００２７】
また、図５（ｂ）に表した具体例は、衛生洗浄便座装置本体５００の前面５１０をボウル３１０の側壁面に沿って湾曲させた場合を表す。この場合にも、排水路５９０をボウル３１０の側壁面に沿うように湾曲させることにより、見た目にすっきりするとともに、衛生洗浄便座装置本体５００のボウル３１０への延出量を減らすことができる。
【００２８】
なお、この場合も、図５（ｃ）及び（ｄ）に表したように、排水路５９０を前面５１０よりも前方に突出させて設けてもよい。排水路５９０を前方に突出させて設けた場合には、衛生洗浄便座装置本体５００のボウル３１０への延出量を減らすことができる。
【００２９】
図６は、本実施形態の衛生洗浄便座装置本体５００の内部構造を例示する模式断面図である。  
すなわち、衛生洗浄便座装置本体５００の中には、使用者の「おしり」などに水を噴射する進退式の洗浄ノズル５３０と、この洗浄ノズル５３０に水を供給する水路系６３０と、が設けられている。これら洗浄ノズル５３０や水路系６３０から「捨て水」が発生することがある。
【００３０】
図７は、洗浄ノズル５３０に水を供給する水路系の構成を例示するブロック図である。
【００３１】
すなわち、水道栓などの給水部から分岐され連結ホースを介して衛生洗浄便座装置本体５００に導入された水は、まず、バルブユニットにおいて調圧され、安全弁を介して熱交換ユニットに導入され加熱される。その後、流調ユニット、脈動装置ユニットを介してノズルユニットに導入される。
【００３２】
これら水路系６３０において、例えば、熱交換ユニットに設けられた「水抜栓」は、メンテナンスなどの際に熱交換タンクから水を抜くための栓であり、その操作により「捨て水」が発生することがある。  
また、熱交換ユニットに設けられた「安全弁」は、調圧弁が故障して水路の２次圧が上昇した時などに、系外に水を放出するための弁である。また、「バキュームブレーカ」は、洗浄ノズルの方向から水が逆流した時に、逆流水を系外に放出するための要素である。従って、これらの要素からも「捨て水」が発生することがある。  
本実施形態においては、例えば、図６に表したように、排水チューブ５９２をこれらの各要素に接続し、必要に応じて水を、排水路５９０に排水可能としている。
【００３３】
また、排水路５９０は、洗浄ノズル５３０からの「捨て水」も排出可能とされている。すなわち、洗浄ノズル５３０を動作させて水を噴射させる場合、予め衛生洗浄便座装置本体５００の中で吐水口から吐水させて水路内の冷水を排出させることがある。また、洗浄ノズル５３０による洗浄が終了した時、衛生洗浄便座装置本体５００の中で吐水口から吐水させることにより、吐水口の周辺の異物の付着を防止できる。さらにまた、洗浄の前後に、衛生洗浄便座装置本体５００の中で、洗浄室に囲まれた状態で吐水させることにより、洗浄ノズルの外周を洗浄することができる。
【００３４】
洗浄ノズルに関するこれらの動作に対応して、衛生洗浄便座装置本体５００の中で「捨て水」が発生する。これに対して、本具体例によれば、洗浄ノズル５３０の前面下方に排水路５９０を設けることにより、洗浄ノズル５３０から生じた「捨て水」を外部に排水できる。
【００３５】
図８乃至図１０は、「捨て水」の排水口を例示する模式図である。  
図８に表した具体例の場合、衛生洗浄便座装置本体５００の前面５１０の塞ぎ板５２５の下に排水口５９１が設けられている。そして、「捨て水」の排水チューブ５９２が排水口５９１に配設され、また排水口５９１の直下には排水路５９０が設けられている。排水チューブ５９２は、図７に関して前述したように、衛生洗浄便座装置本体５００の内部に設けられた水路系の「捨て水」の発生源に接続されている。水路系において発生した「捨て水」は排水チューブ５９２を介して排水口５９１に排出される。「捨て水」の発生源に排水チューブ５９２を接続することにより、衛生洗浄便座装置本体５００の中での漏水を防止し、電気回路基板などの浸水によるショートや漏電、誤動作などを防ぐことができる。
【００３６】
また、洗浄ノズル５３０から発生した「捨て水」も、その直下に設けられた排水口５９１を介して速やかに排水される。
【００３７】
排水路５９０は、排水口５９１から排出された「捨て水」をボウル３１０に導くように、衛生洗浄便座装置本体５００の前面５１０から鉛直下方に延在して形成されている。このような排水口５９１、排水チューブ５９２及び排水路５９０を設けることにより、「捨て水」が衛生洗浄便座装置本体５００の内部に残留することを防ぎ、また、「捨て水」が排出される際に、衛生洗浄便座装置本体５００と腰掛便器３００との隙間に浸入することを防ぐことができる。なお、図８においては、３本の排水チューブ５９２が配設された具体例を表したが、排水チューブ５９２の数や配置については、衛生洗浄便座装置本体５００の構造に応じて適宜決定することができる。
【００３８】
またさらに、このように下方に延在した排水路５９０を設けることにより、衛生洗浄便座装置本体５００を腰掛便器３００に取り付ける際に、「位置決め」を容易にできるという効果も得られる。すなわち、衛生洗浄便座装置本体５００を腰掛便器３００の平坦面３００Ｆの上に載せ、後方（ボウル３１０から遠ざかる方向）に押して、排水路５９０がボウル３１０の側壁面に当接した位置を衛生洗浄便座装置本体５００の取り付け位置とすることができる。この状態において、衛生洗浄便座装置本体５００の前面５１０の下端は、ボウル３１０の開口部の側壁面とほぼ同一面の位置にある。つまり、排水路５９０をボウル３１０の側壁面に当接させることにより、衛生洗浄便座装置本体５００を理想的な位置に簡単に位置決めすることができる。
【００３９】
この時、図２に表したように、まず便器の平坦面３００Ｆにベースプレート６９０をボルト６９５により取り付ける。しかる後に、このベースプレート６９０に、衛生洗浄便座装置本体５００を固定する。ベースプレート６９０と衛生洗浄便座装置本体５００との間には、取り付け位置を前後に調節可能な調節機構が適宜設けられている。例えば、図２に例示した具体例の場合、ベースプレート６９０には複数の凹凸が側面に設けられた突出部６９０Ｐが設けられている。一方、衛生洗浄便座装置本体５００の底面には、この突出部６９０Ｐと係合する凹部５００Ｃが設けられている。さらに、凹部５００Ｃの側面には、可動ラッチ５００Ｒが設けられている。凹部５００Ｃを突出部６９０Ｐに係合させた状態で衛生洗浄便座装置本体５００を後方にスライドさせ、排水路５９０がボウル３１０の後端に突き当たったところで可動ラッチ５００Ｒを固定することにより、衛生洗浄便座装置本体５００を最適な位置に取り付けることができる。  
なお、ベースプレートを用いた位置調節取り付け機構については、この他にも各種のものを用いることができ、例えば、本願出願人による特開平１１−１９７０６１号公報に記載された方法などを用いてもよい。
【００４０】
次に、図９に表した本具体例の場合、「捨て水」の排水チューブ５９２は、衛生洗浄便座装置本体５００の前面５１０において、塞ぎ板５２５の横の下方に設けられた排水口５９４に接続されている。そして、排水路５９０は、排水口５９１の下方から排水口５９４の下方に亘って設けられ、これら排水口５９１、５９４から放出された「捨て水」をボウル３１０の中に導くようにされている。
【００４１】
本具体例においても、排水チューブ５９２が排水口５９１を塞ぐことがなく、洗浄ノズルからの「捨て水」を排水口５９１から円滑に排水できる。また、本具体例によれば、排水チューブ５９２の排水口５９４を下方に設けることにより、「捨て水」の抜けをよくすることができる。
【００４２】
次に、図１０に表した具体例の場合、「捨て水」の排水チューブ５９２は、衛生洗浄便座装置本体５００の前面５１０において、塞ぎ板５２５の横の上部に設けられた排水口５９３に接続されている。そして、排水路５９０は、排水口５９１の下方から排水口５９３の下方に亘って設けられ、これら排水口５９１、５９３から放出された「捨て水」をボウル３１０の中に導くように延在して設けられている。本具体例においても、排水チューブ５９２が排水口５９１を塞ぐことがなく、洗浄ノズルからの「捨て水」を排水口５９１から円滑に排水できる。
【００４３】
また、図１１に例示したように、衛生洗浄便座装置本体の前面５１０をボウル３１０に向けて前方に傾斜させると、便器の前に立った状態の使用者の視線から前面５１０を隠すことが可能である。このため、本具体例のように「捨て水」の排水口５９３を前面５１０の上部に設けてもそれほど目立たず、デザイン的にも優れたものとなる。  
なお、図９及び図１０において、排水口５９３、５９４などの位置や形状、数などについては、適宜決定することができる。
【００４４】
次に、衛生洗浄便座装置本体５００の筺体構造と排水路５９０との関係について説明する。  
図１２及び図１３は、本実施形態にかかる衛生洗浄便座装置本体５００の筺体の模式断面図である。  
これら具体例においては、筺体は、ケースカバー６０２とケースプレート６０４とからなる。ケースカバー６０２とケースプレート６０４とは、前面５１０の下端と背面の下端で分割されている。便器の平坦面３００Ｆには、ベースプレート６９０が取り付けられ、ケースプレート６４０に設けられた固定機構（図示せず）により衛生洗浄便座装置本体５００が固定される。
【００４５】
そして、図１２に表した具体例の場合、排水路５９０は、ケースプレート６０４の一部として一体的に成形されている。つまり、ケースプレート６０４の一部が前面５１０から鉛直下方に延在して排水路５９０を構成している。この構造によれば、筺体の中で生じた「捨て水」をケースプレート６０４の上から排水路５９０にそのまま排出することができ、衛生洗浄便座装置本体５００と便器の平坦面３００Ｆとの隙間に「捨て水」が浸入することを防止できる。
【００４６】
一方、図１３に表した具体例の場合、排水路５９０は、ケースカバー６０２の一部として一体的に成形されている。つまり、ケースカバー６０２の一部が前面５１０から鉛直下方に延在して排水路５９０を構成している。この構造によれば、ケースカバー６０２と排水路５９０との間に継ぎ目はなく、見た目にすっきりとして、デザイン的に優れる。なお、本具体例の場合、排水路５９０とケースプレート６０４との接触部６０５にパッキンや防水シールなどの防水手段を設けることにより、この接触部６０５の隙間から「捨て水」がケースプレート６０４と便器の平坦面３００Ｆと間に浸入することを防止できる。
【００４７】
次に、ベースプレートに排水路を設けた具体例について説明する。  
図１４は、ベースプレートに排水路を設けた具体例を表す模式断面図である。      
また、図１５は、本具体例の衛生洗浄便座装置から便座を取り外した状態での模式組立図である。
【００４８】
本具体例においては、排水路５９０は、ベースプレート６９０の一部として一体的に成形されている。つまり、ベースプレート６９０の一部が衛生洗浄便座装置本体５００の前面５１０から鉛直下方に延在して排水路５９０を構成している。この構造の場合、排水路５９０に対応して、ケースプレート６０４の前端の一部を切り欠いて排水口６０４Ｃを設けると、「捨て水」を排水路５９０に円滑に導くことができる。
【００４９】
また、本具体例の場合、図１５に表したように、まずベースプレート６９０を便器の平坦面３００Ｆの上に載置し、排水路５９０をボウル３１０の後端に突き当てた位置でボルト６９５により固定する。図1５に表した具体例の場合、ベースプレート６９０の取り付け穴６９０Ｈが前後に延在した形状とされ、取り付け位置を前後方向に調節し固定できる。
【００５０】
そして、ベースプレート６９０を最適な位置に固定した後に、衛生洗浄便座装置本体５００をベースプレート６９０に固定する。この時、ベースプレート６９０と衛生洗浄便座装置本体５００との位置関係は、調節可能でなくてもよい。つまり、衛生洗浄便座装置本体５００の前面５１０が排水路５９０とほぼ同一面を構成する位置に固定されるように、取り付け位置が予め固定されていてもよい。
【００５１】
図１６は、ベースプレートに排水路を設けた第２の具体例を表す模式断面図である。  
また、図１７は、本具体例の衛生洗浄便座装置から便座を取り外した状態での模式組立図である。
【００５２】
本具体例においては、ベースプレートは、便器３００に固定される固定部６９１と、固定部６９１に対して前後にスライド可能な可動部６９２とを有する。そして、排水路５９０は、ベースプレートの可動部６９２の一部として一体的に成形されている。
【００５３】
本具体例の場合、ベースプレートの固定部６９１の便器３００に対する取り付け位置は、調節できなくてもよい。その代わり、固定部６９１に対する衛生洗浄便座装置本体５００の取り付け位置は前後に調節可能とされている。すなわち、まず、ベースプレートの固定部６９１を便器の平坦面３００Ｆにボルト６９５により固定する。次に、ベースプレートの可動部６９２を固定部６９１の下の隙間に挿入する（図１６参照）。しかる後に、衛生洗浄便座装置本体５００を固定部６９１に載置し、後方にスライドさせて、排水路５９０がボウル３１０の後端に突き当たった位置で、固定する。この時、可動部６９２に設けられた凸部６９２Ｐと、衛生洗浄便座装置本体５００の底面に設けられた段差５００Ｓとが当接し、前面５１０と排水路５９０とほぼ同一面となる位置に自動的に調節される。
【００５４】
なお、ベースプレートの固定部６９１に対する衛生洗浄便座装置本体５００の取り付け調節構造は、図２に関して前述したものと同様のラッチ機構などを採用することができる。
【００５５】
次に、本発明において設けることができる排水路の第２の具体例について説明する。  
図１８は、本発明の第２の実施の形態の衛生洗浄便座装置から便座を取り外した状態での模式組立図である。  
また、図１９は、本実施形態において設けられた排水路５９０を説明するための模式図であり、（ａ）は衛生洗浄便座装置本体５００の中央付近の一部拡大正面図、（ｂ）及び（ｃ）は、そのＡ−Ａ断面図である。  
また、図２０は、本具体例の衛生洗浄便座装置本体５００の模式断面図である。
【００５６】
本具体例においても、衛生洗浄便座装置本体５００の前面５１０の開口部５２０の下方に、排水路５９０が設けられている。ただし、本具体例の排水路５９０は、鉛直下方に連通したスリット状の管路５９０Ｔを有する。衛生洗浄便座装置本体５００の中で発生した「捨て水」は、この管路５９０Ｔの中を伝わり、ボウル３１０に排水される。
【００５７】
本実施形態においても、排水路５９０は、図１９（ｂ）に表したように、前面５１０よりも前方に突出しないように設けてもよく、または図１９（ｃ）に表したように、前面５１０よりも前方に突出するように設けてもよい。図１９（ｃ）のように前方に突出させて設けた場合には、衛生洗浄便座装置本体５００のボウル３１０への延出量を減らすことができる。
【００５８】
本実施形態によれば、排水路５９０を流れる「捨て水」の水路を使用者の視線から隠すことができる。従って、例えば、「捨て水」が汚れている場合や、管路５９０Ｔが汚れた場合などでも、清潔感を損なうことがなく、快適な使用感を維持できる。また、衛生洗浄便座装置本体５００の前面５１０に排水口を設けないため、例えば、ボウル３１０の溜め水の「はね」や小水などの衛生洗浄便座装置本体５００の中への浸入を防ぐことができる。
【００５９】
なお、このような管路５９０Ｔを有する排水路５９０は、図１２に関して前述したように、ケースカバー６０２に設けることも可能であり、また、図１３〜図１６に関して前述したように、ベースプレート６９０に設けることも可能である。
【００６０】
また、本具体例においても、排水路５９０をボウル３１０の側壁面に沿わせて湾曲させてもよい。  
図２１（ａ）乃至（ｄ）は、このように排水路５９０を湾曲させた具体例を表し、これらいずれも図１９（ａ）のＡ−Ａ線断面図に相当する。  
すなわち、図２１（ａ）に表した具体例の場合、衛生洗浄便座装置本体５００の前面５１０は略平面状とされているが、排水路５９０はボウル３１０の側壁面に沿うように湾曲して形成されている。このようにすると、ボウル３１０の側壁面との間に隙間をつくらずにぴったりと排水路５９０を沿わせることができ、見た目にすっきりするとともに、衛生洗浄便座装置本体５００のボウル３１０への延出量も減らすことができる。
【００６１】
また、図２１（ｂ）は、衛生洗浄便座装置本体５００の前面５１０をボウル３１０の側壁面に沿って湾曲させた具体例を表す。この場合にも、排水路５９０をボウル３１０の側壁面に沿うように湾曲させることにより、見た目にすっきりするとともに、衛生洗浄便座装置本体５００のボウル３１０への延出量を減らすことができる。
【００６２】
またさらに、図２１（ｃ）及び（ｄ）に表したように、排水路５９０を前面５１０よりも前方に突出させて設けてもよい。排水路５９０を前方に突出させて設けた場合には、衛生洗浄便座装置本体５００のボウル３１０への延出量を減らすことができる。
【００６３】
なお、図５（ｂ）及び（ｄ）や図２１（ｂ）及び（ｄ）などに例示したように、本実施形態の衛生洗浄便座装置本体５００は、必ずしも前面５１０が平面状のものには限定されない。すなわち、図１乃至図２１に関して前述した排水路５９０は、例えば、湾曲した前面５１０を有する衛生洗浄便座装置本体にも同様に設けて同様の作用効果を得ることができる。
【００６４】
図２２は、湾曲した前面５１０を有する衛生洗浄便座装置本体を例示する模式透視図である。  
すなわち、本具体例においては、衛生洗浄便座装置本体５００はボウル３１０を覆わないように、前面５１０がボウル３１０の開口部の湾曲側壁面と略一体的な曲面を形成している。その結果、汚れにくく、また、男性の小用の際などにも小水がかかりにくくなる。また、掃除の際にいちいち衛生洗浄便座装置本体５００を腰掛便器３００から取り外す手間が省け、掃除が極めて容易となる。またさらに、見た目にもすっきりとして、見栄えがよく、使用者に対して清潔感や衛生感を与え、快適な使い心地のトイレ装置を提供できる。
【００６５】
そして、このように湾曲した前面５１０の左右において、前方に延出した延出部５００Ｐを設け、衛生洗浄便座装置の機能部をこの延出部５００Ｐに収容することができる。つまり、衛生洗浄便座装置本体５００がボウル３１０を覆わないようにその前面５１０を湾曲させると、その部分の奥行きが小さくなり、衛生洗浄便座装置本体５００の収容体積が小さくなってしまう。これに対して、湾曲した前面５１０の左右に延出部５００Ｐを設けることにより、衛生洗浄便座装置本体５００の収容体積を増やして、必要とされる機能部を本体内に確実に収容することが可能となる。
【００６６】
すなわち、衛生洗浄便座装置本体５００の中央付近には、洗浄ノズル５３０が設けられる。そして、その向かって右側には、温風乾燥装置５７０が設けられ、さらにその右側には脱臭装置５５０が設けられている。本具体例の場合、脱臭装置５５０の一部は、右側の延出部５００Ｐに突出して収容されている。
【００６７】
一方、洗浄ノズル５３０の向かって左側には、洗浄ノズル５３０を駆動するための駆動系６２０と、洗浄ノズル５３０に水を供給するための水路系６３０が設けられている。この水路系６３０は、例えば、バルブユニット６３２、熱交換ユニット６３３、流調ユニット６３４などを有する。そして、これら水路系６３０の上に、センサ５０２が設けられ、その前方に制御基板６４０が内蔵されている。センサ５０２は、便座４１０に座った使用者を検知するための着座センサや、リモコン（図示せず）からの制御信号を受信する受光センサなどを内蔵する。また、制御基板６４０は、衛生洗浄便座装置の各部を制御する電気回路を有する。制御基板６４０を水路系６３０の上に設けることにより、結露や万が一の漏水の際にも、ショートや漏電を防止できる。そして、制御基板６４０を左側の延出部５００Ｐに突出させることにより、限られた収容スペースを有効に活用できる
そして、これら水路系６３０や洗浄ノズル５３０などで発生する「捨て水」は、前面５１０から鉛直下方に延在して設けられた排水路５９０により、確実かつ容易にボウル３１０に排水される。したがって、衛生洗浄便座装置本体５００の中での「捨て水」の漏水を防止できる。排水路５９０は、図４などに関して前述したように溝５９０Ｇを設けたものでもよく、また図１９などに関して前述したように管路５９０Ｔを設けたものでもよい。
【００６８】
またさらに、本具体例においても、排水路５９０を設けることにより、衛生洗浄便座装置本体５００を確実かつ容易に最適な位置に取り付けることができる。すなわち、排水路５９０をボウル３１０の後端に突き当てた位置で衛生洗浄便座装置本体５００を固定することにより、前面５１０がボウル３１０の開口部の湾曲側壁面と略一体的な曲面を形成する位置に取り付けることができる。その結果、汚れにくく、また、男性の小用の際などにも小水がかかりにくくなる。また、掃除の際にいちいち衛生洗浄便座装置本体５００を腰掛便器３００から取り外す手間が省け、掃除が極めて容易となる。またさらに、見た目にもすっきりとして、見栄えがよく、使用者に対して清潔感や衛生感を与え、快適な使い心地のトイレ装置を提供できる。
【００６９】
以上、具体例を参照しつつ、本発明の実施の形態について説明した。しかし、本発明は、これらの具体例に限定されるものではない。例えば、図１乃至図２２に関して前述した特徴部分は、技術的な可能な範囲においていかようにも組合せることができ、これら組合せにより得られた衛生洗浄便座装置及びトイレ装置についても、本発明の要旨を含む限りにおいて本発明の範囲に包含される。
【００７０】
また、本発明の衛生洗浄便座装置及びトイレ装置に含まれる洗浄ノズル、脱臭装置、温風乾燥装置、着座センサ、筺体、リモコン、腰掛便器、ロータンクなどの各要素については、当業者が適宜設計変更することにより本発明を同様に実施し、同様の効果を得ることができるものも本発明の要旨を含む限り、本発明の範囲に包含される。
【００７１】
その他、本発明の実施の形態として上述した衛生洗浄便座装置及びトイレ装置を基にして、当業者が適宜設計変更して実施しうるすべての衛生洗浄便座装置及びトイレ装置も同様に本発明の範囲に属する。
【図面の簡単な説明】
【００７２】
【図１】本発明の実施の形態の第１の実施の形態にかかる衛生洗浄便座装置本体の模式斜視図である。
【図２】本発明の具体例の衛生洗浄便座装置から便座を取り外した状態での模式組立図である。
【図３】比較例の衛生洗浄便座装置を表す模式図である。
【図４】（ａ）は衛生洗浄便座装置本体５００の中央付近の一部拡大正面図、（ｂ）はそのＡ−Ａ断面図である。
【図５】（ａ）乃至（ｄ）は、排水路５９０を湾曲させた具体例を表し、いずれも、図４（ａ）のＡ−Ａ線断面図に相当する断面図である。
【図６】本発明の実施形態の衛生洗浄便座装置本体５００の内部構造を例示する模式断面図である。
【図７】洗浄ノズル５３０に水を供給する水路系の構成を例示するブロック図である。
【図８】「捨て水」の排水口を例示する模式図である。
【図９】「捨て水」の排水口を例示する模式図である。
【図１０】「捨て水」の排水口を例示する模式図である。
【図１１】前面５１０をボウル３１０に向けて前方に傾斜させた具体例を表す模式断面図である。
【図１２】本発明の実施形態にかかる衛生洗浄便座装置本体５００の筺体の模式断面図である。
【図１３】本発明の実施形態にかかる衛生洗浄便座装置本体５００の筺体の模式断面図である。
【図１４】ベースプレートに排水路を設けた具体例を表す模式断面図である。
【図１５】本発明の具体例の衛生洗浄便座装置から便座を取り外した状態での模式組立図である。
【図１６】ベースプレートに排水路を設けた第２の具体例を表す模式断面図である。
【図１７】本発明の具体例の衛生洗浄便座装置から便座を取り外した状態での模式組立図である。
【図１８】本発明の第２の実施の形態にかかる衛生洗浄便座装置から便座を取り外した状態での模式組立図である。
【図１９】（ａ）は衛生洗浄便座装置本体５００の中央付近の一部拡大正面図、（ｂ）はそのＡ−Ａ断面図である。
【図２０】本発明の具体例の衛生洗浄便座装置本体５００の模式断面図である。
【図２１】（ａ）乃至（ｄ）は、排水路５９０を湾曲させた具体例を表し、これらはいずれも図１９（ａ）のＡ−Ａ線断面図に相当する。
【図２２】湾曲した前面５１０を有する衛生洗浄便座装置本体を例示する模式透視図である。
【符号の説明】
【００７３】
２００ ロータンク
３００ 腰掛便器
３００Ｆ 平坦面
３１０ ボウル
４００ 便蓋
４１０ 便座
５００ 衛生洗浄便座装置本体
５００Ｃ 凹部
５００Ｐ 延出部
５００Ｒ 可動ラッチ
５００Ｓ 段差
５０２ センサ
５１０ 前面
５２０ 開口部
５２５ 塞ぎ板
５３０ 洗浄ノズル
５５０ 脱臭装置
５７０ 温風乾燥装置
５９０ 排水路
５９０Ｇ 溝
５９０Ｔ 管路
５９１ 排水口
５９２ 排水チューブ
５９３、５９４ 排水口
６０２ ケースカバー
６０４ ケースプレート
６０４Ｃ 排水口
６０５ 接触部
６２０ 駆動系
６３０ 水路系
６３２ バルブユニット
６３３ 熱交換ユニット
６３４ 流調ユニット
６４０ ケースプレート
６４０ 制御基板
６９０ ベースプレート
６９０Ｈ 穴
６９０Ｐ 突出部
６９１ 固定部
６９２ 可動部
６９２Ｐ 凸部
６９５ ボルト
【図１】
2006283400.tif 000003
【図２】
2006283400.tif 000004
【図３】
2006283400.tif 000005
【図４】
2006283400.tif 000006
【図５】
2006283400.tif 000007
【図６】
2006283400.tif 000008
【図７】
2006283400.tif 000009
【図８】
2006283400.tif 000010
【図９】
2006283400.tif 000011
【図１０】
2006283400.tif 000012
【図１１】
2006283400.tif 000013
【図１２】
2006283400.tif 000014
【図１３】
2006283400.tif 000015
【図１４】
2006283400.tif 000016
【図１５】
2006283400.tif 000017
【図１６】
2006283400.tif 000018
【図１７】
2006283400.tif 000019
【図１８】
2006283400.tif 000020
【図１９】
2006283400.tif 000021
【図２０】
2006283400.tif 000022
【図２１】
2006283400.tif 000023
【図２２】
2006283400.tif 000024